(57)【特許請求の範囲】
【請求項１】
ドア、窓等の開閉部に設置された電子錠と、発信機から発信される無線信号を受信して前記電子錠の施錠及び解錠を行う電子錠制御機とを有する電子錠制御システムにおいて、
前記発信機は、
少なくとも前記発信機の使用者を識別する使用者ＩＤと、この使用者ＩＤを認証するための暗証番号と、前記電子錠の施錠または解錠を要求する制御要求信号とが入力される入力部と、
少なくとも一組の使用者ＩＤと暗証番号とが互いに対応付けられた組合わせとして記憶されるメモリと、
前記入力部に入力された使用者ＩＤ及び暗証番号と前記組合わせとが一致するか否かを判定すると共に、一致しない回数が所定回数以上であるか否かを判定する第一制御部と、
前記入力部に入力された使用者ＩＤ及び暗証番号と前記組合わせとが一致すると判定された場合に前記使用者ＩＤ及び前記制御要求信号を前記電子錠制御機に発信すると共に、前記所定回数以上と判定された場合に警告信号を外部情報受信装置に発信する発信部、とを具備し、
前記電子錠制御機は、
前記電子錠の施錠及び解錠を行う駆動部と、
前記発信部から発信された使用者ＩＤ及び制御要求信号を受信する受信部と、
予め記憶された使用者ＩＤと受信した使用者ＩＤとが一致した場合に前記制御要求信号に基づいて前記駆動部を駆動する制御信号を出力する第二制御部と、
前記電子錠の制御情報信号を外部情報受信装置へ発信する制御情報発信部、とを具備することを特徴とする電子錠制御システム。
【請求項２】
請求項１記載の電子錠制御システムにおいて、
前記発信機は、複数の前記電子錠制御機から選択された前記電子錠制御機に前記使用者ＩＤ及び前記制御要求信号を発信することにより、複数の前記電子錠から選択された前記電子錠の施錠及び解錠を行うようにしたことを特徴とする
電子錠制御システム。
【請求項３】
請求項１記載の電子錠制御システムにおいて、
前記制御情報信号は、前記電子錠が施錠または解錠された日時、前記使用者ＩＤ、前記電子錠が施錠または解錠されたことを示す信号、選択された電子錠を識別する電子錠ＩＤの少なくとも一つを含むことを特徴とする電子錠制御システム。
【請求項４】
請求項１から請求項３のいずれか１項記載の電子錠制御システムにおいて、
前記使用者ＩＤ、前記制御要求信号、前記警告信号、前記制御情報信号はパケットデータとして発信されることを特徴とする電子錠制御システム。
【請求項５】
請求項１から請求項４のいずれか１項記載の電子錠制御システムにおいて、
前記警告信号及び前記制御情報信号は通信ネットワークを介して前記外部情報受信装置に通知されることを特徴とする電子錠制御システム。
【請求項６】
請求項１から請求項５のいずれか１項記載の電子錠制御システムにおいて、
前記発信機は、携帯電話またはＰＨＳ電話であることを特徴とする電子錠制御システム。
【請求項７】
請求項１から請求項６のいずれか１項記載の電子錠制御システムにおいて、
前記電子錠制御機は、前記第二制御部を前記通信ネットワークに接続する通信インターフェイスを具備し、前記通信ネットワークに接続された外部の制御機器より前記制御要求信号及び前記使用者ＩＤを前記第二制御部に入力するようにしたことを特徴とする電子錠制御システム。
【発明の詳細な説明】
【０００１】
【発明の属する技術分野】
本発明は、例えばドア、窓等の開閉部に設置された電子錠の施錠及び解錠を行う電子錠制御システムに関するものである。
【０００２】
【従来の技術】
従来、住宅店舗等の玄関ドア、自動車のドア、窓や金庫の扉等の開閉部に錠前を設け、開閉部に設けられた鍵穴に対応する鍵を差し込んで回動させることにより、開閉部の施錠及び解錠が行なわれている。
【０００３】
そして、例えば玄関ドアの鍵を紛失してしまった場合、予め保管されていたスペアの鍵によって新しい鍵を作成して錠前を使用するようにしている。
そして、スペアの鍵も紛失してしまった場合は、錠前を新規のものに交換するようにしている。
【０００４】
そして、鍵は開閉部に対して１対１で対応しているため、玄関ドア、自動車のドア等の複数の開閉部の施錠及び解錠を行う場合は、複数の鍵を携帯してその管理を行っていた。
【０００５】
【発明が解決しようとする課題】
しかし、このような鍵の管理においては次のような問題点があった。
紛失した鍵が他者の手に渡ったり、鍵が偽造されたりした場合、財産の盗
難の被害を受けたり、家族の人身の安全が危険にさらされる恐れがある。
（２）鍵を紛失していない場合でも、開閉部に鍵穴があるため、鍵穴に特殊工具を差し込んで解錠させるピッキングと呼ばれる犯罪行為により、財産の盗難の被害を受けたり、家族の人身の安全が危険にさらされる恐れがある。
（３）複数の鍵を携帯してその管理を行うことは煩雑であり、その負担が大きい。
【０００６】
本発明は上述した問題点を解決するためになされたものであり、開閉部に電子錠と電子錠の施錠及び解錠を行う電子錠制御機を設け、使用者ＩＤ及び暗証番号により認証された発信機から使用者ＩＤ及び電子錠の制御要求信号を特定の電子錠制御機を選択して発信し、選択された電子錠制御機において制御要求信号及びＩＤを受信し、ＩＤが認証された場合に電子錠の施錠及び解錠を行うようにすることにより、セキュリティ性を高めて盗難などの犯罪被害を防止し、1台の発信機で複数の電子錠の施錠及び解錠を行うことができる電子錠制御システムを実現することを目的とする。
【０００７】
【課題を解決するための手段】
本発明の請求項１においては、ドア、窓等の開閉部に設置された電子錠と、発信機から発信される無線信号を受信して前記電子錠の施錠及び解錠を行う電子錠制御機とを有する電子錠制御システムにおいて、前記発信機は、少なくとも前記発信機の使用者を識別する使用者ＩＤと、この使用者ＩＤを認証するための暗証番号と、前記電子錠の施錠または解錠を要求する制御要求信号とが入力される入力部と、少なくとも一組の使用者ＩＤと暗証番号とが互いに対応付けられた組合わせとして記憶されるメモリと、前記入力部に入力された使用者ＩＤ及び暗証番号と前記組合わせとが一致するか否かを判定すると共に、一致しない回数が所定回数以上であるか否かを判定する第一制御部と、前記入力部に入力された使用者ＩＤ及び暗証番号と前記組合わせとが一致すると判定された場合に前記使用者ＩＤ及び前記制御要求信号を前記電子錠制御機に発信すると共に、前記所定回数以上と判定された場合に警告信号を外部情報受信装置に発信する発信部、とを具備し、前記電子錠制御機は、前記電子錠の施錠及び解錠を行う駆動部と、前記発信部から発信された使用者ＩＤ及び制御要求信号を受信する受信部と、予め記憶された使用者ＩＤと受信した使用者ＩＤとが一致した場合に前記制御要求信号に基づいて前記駆動部を駆動する制御信号を出力する第二制御部と、前記電子錠の制御情報信号を外部情報受信装置へ発信する制御情報発信部、とを具備することを特徴とする電子錠制御システムである。
【０００８】
本発明の請求項２においては、請求項１記載の電子錠制御システムにおいて、前記発信機は、複数の前記電子錠制御機から選択された前記電子錠制御機に前記使用者ＩＤ及び前記制御要求信号を発信することにより、複数の前記電子錠から選択された前記電子錠の施錠及び解錠を行うようにしたことを特徴とする電子錠制御システムである。
【０００９】
本発明の請求項３においては、請求項１記載の電子錠制御システムにおいて、前記制御情報信号は、前記電子錠が施錠または解錠された日時、前記使用者ＩＤ、前記電子錠が施錠または解錠されたことを示す信号、選択された電子錠を識別する電子錠ＩＤの少なくとも一つを含むことを特徴とする電子錠制御システムである。
【００１０】
本発明の請求項４においては、請求項１から請求項３のいずれか１項記載の電子錠制御システムにおいて、前記使用者ＩＤ、前記制御要求信号、前記警告信号及び前記制御情報信号はパケットデータとして発信されることを特徴とする電子錠制御システムである。
【００１１】
本発明の請求項５においては、請求項１から請求項４のいずれか１項記載の電子錠制御システムにおいて、前記警告信号及び前記制御情報信号は通信ネットワークを介して前記外部情報受信装置に通知されることを特徴とする電子錠制御システムである。
【００１２】
本発明の請求項６においては、請求項１から請求項５のいずれか１項記載の電子錠制御システムにおいて、前記発信機は、携帯電話またはＰＨＳ電話であることを特徴とする電子錠制御システムである。
【００１３】
本発明の請求項７においては、請求項１から請求項６のいずれか１項記載の電子錠制御システムにおいて、前記電子錠制御機は、前記第二制御部を前記通信ネットワークに接続する通信インターフェイスを具備し、前記通信ネットワークに接続された外部の制御機器より前記制御要求信号及び前記使用者ＩＤを前記第二制御部に入力するようにしたことを特徴とする電子錠制御システムである。
【００１５】
【発明の実施の形態】
次に、本発明の実施例について図面を用いて説明する。
図１は、本発明の実施例の構成概略図である。
図１において、１は例えば携帯電話、ＰＨＳ電話、発信機能を有する時計等の発信機、２は電子錠制御機、３は通信ネットワークとしてのパケット通信ネットワーク、４は通信ネットワークとしてのインターネット、５は外部情報受信装置としての携帯電話、６ａ，６ｂ，６ｃは外部情報受信装置としての安全管理業者側に設置された安全管理サーバ、７は制御端末である。
【００１６】
発信機１及び電子錠制御機２は、電話の基本機能に加え、データ通信業者が構築しているパケット通信ネットワーク３を介したインターネット接続、電子メールの送受信等のパケットデータ通信を可能とする機能がデータ通信業者との契約により追加されている。
【００１７】
さらに、発信機１及び電子錠制御機２は、近距離データ通信用の無線通信インターフェイス規格に準拠したソフトウエア・スタックが実装されており、このソフトウエア・スタックは、パケット通信ネットワーク３を介すことなく構内電話の内線やトランシーバーのような使用を可能とするように規定された手法により実装されている。
従って、発信機１と電子錠制御機２との間で構内電話の内線やトランシーバーのように相互接続することが可能である。
【００１８】
また、発信機１がこの規格により無線通信インターフェイスとしてのソフトウエア・スタックが実装された機器であれば、どの発信機メーカで製造されたものであっても、発信機１と電子錠制御機２との間で構内電話の内線やトランシーバーのような相互接続が可能である。
【００１９】
そして、発信機１から電子錠制御機２に発信される電波の発信出力は、スペクトラム拡散通信技術のクラス３（最大転送距離１０ｍ）に対応するもので、その搬送波周波数は、２．４ＧＨｚのＩＳＭ（Ｉｎｄｕｓｔｒｉａｌ Ｓｃｉｅｎｔｉｆｉｃ Ｍｅｄｉｃａｌ）帯を使用するので、その使用にあたって特別な免許は必要ない。
【００２０】
パケット通信ネットワーク３は、データ通信業者が構築している通信ネットワークであり、制御センター３ａでパケットデータの送受信を行うことにより、発信機１または電子錠制御機２と、データ通信業者と契約している携帯電話５及び安全管理サーバ６ａとの間のパケットデータの送受信を仲介する。
【００２１】
そして、パケット通信ネットワーク３は汎用の通信ネットワークとしてのインターネット４に接続されると共に、安全管理サーバ６ｂに専用線によって接続され、インターネット４には安全管理サーバ６ｃと制御端末７が接続されている。
【００２２】
次に、発信機の構成及び動作について説明する。
発信機１は、入力部１０、第一制御部１１、メモリ１２、発信部１３、カウンタ１４とから構成されている。
尚、メモリ１２及びカウンタ１４は第一制御機１１の内部に設けるようにしても良い。
【００２３】
使用者は、まず発信機１のパケットデータ通信メニューから電子錠制御モードを選択した後、入力部１０に例えばプッシュボタン操作により発信機１の使用者ＩＤ、使用者の暗証番号を入力する。
【００２４】
メモリ１２には、例えば家族構成員の使用者ＩＤとそれに対応する暗証番号の組合わせが複数個格納されており、第一制御部１１は、入力部１０に入力された使用者ＩＤ及び暗証番号と、メモリ１２に格納された使用者ＩＤ及び暗証番号との組合わせを比較する。
【００２５】
そして、それらが一致した場合、使用者は、例えば玄関ドアあるいは自動車ドア等の施錠または解錠の対象とする電子錠を選択して入力部１０に入力し、発信部１３は、選択された電子錠を識別する電子錠ＩＤを内線またはトランシーバ等の手段により発信し、発信された電子錠ＩＤに対応する電子錠に設けられた電子錠制御機２との相互接続を行う。
【００２６】
そして、使用者は、選択した電子錠の施錠または解錠を要求する制御要求信号を入力部１０に入力し、発信部１３は制御要求信号と使用者ＩＤをパケットデータとして選択された電子錠に設けられた電子錠制御機２に内線またはトランシーバ等の手段により発信する。
【００２７】
一方、カウンタ１４は、入力部１０に入力された使用者ＩＤ及び暗証番号と、メモリ１２に格納された使用者ＩＤと暗証番号の組合わせが不一致となった回数をカウントし、所定の回数として例えば連続して３回以上一致しない入力があった場合、第一制御機１１は不正な電子錠操作が試行されたと判断して警告信号を例えば電子メール等のパケットデータとして生成し、発信部１３はこの警告信号を外部に発信する。
【００２８】
そして、発信された警告信号は、パケット通信ネットワーク３に接続された制御センター３ａで受信され、予め定められた携帯電話５、安全管理サーバ６ａ，６ｂ，６ｃにパケット通信ネットワーク３及びインターネット４を介して通知される。
【００２９】
次に、電子錠制御機の構成及び動作について説明する。
電子錠制御機２は、受信部２０、第二制御部２１、メモリ２２、開閉部に設けられた電子錠を解錠または施錠させる駆動部２３、タイマ２４、制御情報発信部２５、通信ネットワークインターフェイス２６とからなっている。
尚、メモリ２２及びタイマ２４は第二制御部２１の内部に設けるようにしても良い。
【００３０】
メモリ２２には、電子錠の制御を許す発信機１の複数の使用者ＩＤが予め記憶されており、受信部２は、発信機１から発信された電子錠ＩＤに応答して相互接続を行うと共に、使用者ＩＤ及び制御要求信号を受信し、第二制御部２１は受信した使用者ＩＤとメモリに予め記憶されている使用者ＩＤとが一致するかどうかを判断し、一致する場合は、受信した制御要求信号に基づいて駆動部２３を制御する制御信号を出力する。
【００３１】
そして、駆動部２３は、第二制御部２１の出力に基づいて、開閉部に設けられた電子錠を施錠または解錠させ、タイマ２４は、駆動部２３が電子錠を施錠または解錠した日時を検知して第二制御部２１に出力する。
【００３２】
そして、制御情報発信部２５は、タイマ２４で検知された日時、使用者ＩＤ、電子錠ＩＤ、電子錠が施錠または解錠されたことを示す信号を電子錠の制御情報信号として、第二制御部２１からの制御信号に基づいて外部に電子メール等のパケットデータとして発信する。
【００３３】
発信された制御情報信号は、パケット通信ネットワーク３に接続された制御センター３ａで受信され、パケット通信ネットワーク３及びインターネット４を介して予め定められた携帯電話５、安全管理サーバ６ａ，６ｂ，６ｃに通知される。
【００３４】
そして、通信ネットワークインターフェイス２６は、電子錠制御機２をインターネット４に接続するもので、外部の制御端末７は、インターネット４及び通信ネットワークインターフェイス２６を介して電子錠の制御要求信号及び使用者ＩＤを第二制御部２１に送信し、電子錠の施錠または解錠を行う。
【００３５】
そして、第二制御部２１は、制御情報信号を安全管理データとして通信ネットワークインターフェイス２６及びインターネット４を介して安全管理サーバー６ｃに送信する。
【００３６】
また、家庭内のエアコン、風呂等の電気機器をコントロールする小型サーバ（図示しない）を電子錠制御機２の内部に設けて受信部２０と接続し、発信機１から電気機器をコントロールする制御信号を発信し、この制御信号を電子錠制御機２の受信部２０で受信することにより、発信機１により電気機器のコントロールを行う、いわゆるホームオートメーションが可能となる。
【００３７】
また、電子錠制御機２に、バッテリを内蔵させるか、あるいは発信機１からの電磁結合により電力を供給することにより、停電時にも電子錠を施錠及び解錠させることが可能となる。
【００３８】
また、電子錠制御機２に公衆電話回線との接続を行う公衆回線インターフェイス（図示しない）を設け、公衆電話回線を介して外部の公衆電話や設備電話等から使用者ＩＤ及び制御要求信号を入力することにより、データ通信業者の供給するパケットデータ通信システムが故障した場合でも電子錠の施錠及び解錠を行うことが可能となる。
【００３９】
上述のような電子錠制御システムによれば、発信機１と電子錠制御機２とは、内線、トランシーバ等によりパケット通信ネットワーク３を介さずに直接パケット通信を行うので通話料は発生せず、安価に電子錠の施錠及び解錠を行うことができる。
また、スペクトル拡散通信技術により、他の無線通信からの干渉を受け難く、安定した電子錠の施錠及び解錠を行うことができる。
【００４０】
また、開閉部に鍵穴がないため、ピッキングによる盗難等の犯罪被害を防止することができる。
また、一台の発信機で複数の電子錠の施錠及び解錠を行うことができるので、複数の鍵を携帯して管理する必要はない。
【００４１】
また、予め指定された携帯電話５及び安全管理サーバ６ａ，６ｂ，６ｃは警報信号や制御情報信号を受信することにより、その携帯電話５の使用者及び安全管理業者は、不正な電子錠操作が行われたことや、安全管理上必要なデータをリアルタイムに入手することができ、必要な対策を早急に講じることができる。
【００４２】
【発明の効果】
以上説明したように、本発明によれば、発信機の入力部に不正な使用者ＩＤ及び暗証番号が所定回数以上入力された場合に、発信機から警告信号を予め定められた携帯電話等の外部情報受信装置に発信するようにしたので、電子錠のセキュリティ性を高めて盗難などの犯罪被害を防止可能な電子錠制御システムを提供することができる。
【００４３】
また、本発明によれば、電子錠の施錠及び解錠が行われた場合に、電子錠の制御情報信号を電子錠制御機から予め定められた携帯電話等の外部情報受信装置に発信するようにしたので、電子錠のセキュリティ性を高めて盗難などの犯罪被害を防止可能な電子錠制御システムを提供することができる。
【００４４】
また、本発明によれば、発信機は、複数の電子錠制御機から選択された電子錠制御機に使用者ＩＤ及び制御要求信号を発信するようにしたので、1台の発信機で複数の電子錠の施錠及び解錠を行うことができる電子錠制御システムを提供することができる。
【００４５】
また、本発明によれば、制御情報信号を、施錠または解錠された日時、発信機の使用者ＩＤ、電子錠を識別する電子錠ＩＤ、電子錠が施錠または解錠されたことを示す信号としたので、電子錠のセキュリティ性を高めて盗難などの犯罪被害を防止可能な電子錠制御システムを提供することができる。
【００４６】
また、本発明によれば、使用者ＩＤ、制御要求信号、警告信号及び制御情報信号をパケットデータとしたので、データ通信業者の構築しているパケット通信ネットワーク、インターネット等の通信ネットワークを介して外部情報受信装置に発信することができる。
【００４７】
また、本発明によれば、発信機を携帯電話またはＰＨＳ電話としたので、汎用性のある電子錠制御システムを構築することができる。
【００４８】
また、本発明によれば、電子錠制御機に、通信ネットワークに接続する通信インターフェイスを設け、通信ネットワークに接続された外部の制御機器より電子錠の制御要求信号及び使用者ＩＤを直接電子錠制御機に入力可能としたので、パケット通信システムが故障した場合にも電子錠の施錠及び解錠を行うことができる。
【図面の簡単な説明】
【図１】本発明の実施例の構成概略図である。
【符号の説明】
１  発信機
２  電子錠制御機
３  パケット通信ネットワーク
４  インターネット
１０  入力部
１１  第一制御部
１２  メモリ
１３  発信部
２０  受信部
２１  第二制御部
２２  メモリ
２３  駆動部
２４  制御情報発信部
２６  通信ネットワークインターフェイス
【図１】
0004117520.tif 000002